(57)【要約】【課題】本発明は、コンピュータシステムに関し、詳細には、コンピュータの使用による健康状態を常時監視するコンピュータシステムに関する。【解決手段】コンピュータシステム１は、キーボード４のハンドレスト部分に、健康状態の指標となる各種健康状態情報を検出する健康状態検出手段として、発汗量検出センサ１４、温度検出センサ１５及び心拍数検出装置１６を設け、コンピュータ本体２が、健康管理プログラムを搭載し、当該健康管理プログラムの処理下で、発汗量検出センサ１４、温度検出センサ１５及び心拍数検出装置１６の検出する健康状態情報に基づいてオペレータの健康状態を判断して、判断したオペレータの健康状態をディスプレイ３に表示する健康管理処理を実行する。したがって、コンピュータを操作することによるストレス等のオペレータの健康状態情報を自動的に検出して、オペレータの健康管理を適切に実行する。【選択図】          図１
2005122339.tif 000002
【特許請求の範囲】
【請求項１】
オペレータの手操作する入力デバイスからの当該入力操作に応じて、搭載するプログラムに基づいて各種処理を行うコンピュータの前記入力デバイスの前記手操作される当該手の触れる位置に、健康状態の指標となる各種健康状態情報を検出する健康状態検出手段が設けられ、前記コンピュータが、健康管理プログラムを搭載し、当該健康管理プログラムの処理下で、前記健康状態検出手段の検出する健康状態情報に基づいて前記オペレータの健康状態を判断して、当該判断したオペレータの健康状態をディスプレイに表示する健康管理処理を実行することを特徴とするコンピュータシステム。
【請求項２】
前記入力デバイスは、キーボードであり、前記健康状態検出手段は、当該キーボードの前記オペレータによる入力操作時に常時手の位置するハンドレスト部分に設けられていることを特徴とする請求項１記載のコンピュータシステム。
【請求項３】
前記健康状態検出手段は、少なくともオペレータの発汗量、体温及び心拍数を検出することを特徴とする請求項１または請求項２記載のコンピュータシステム。
【請求項４】
前記コンピュータは、予め設定された設定時間毎に、前記健康状態検出手段に前記健康状態情報を検出させて、当該検出された健康状態情報に基づいて前記オペレータの健康状態を判断して、当該判断したオペレータの健康状態を前記ディスプレイに表示する健康管理処理を繰り返し実行することを特徴とする請求項１から請求項３のいずれかに記載のコンピュータシステム。
【請求項５】
前記コンピュータは、前記健康管理処理において、前記オペレータの手が前記健康状態検出手段から離れている等で当該健康状態検出手段が前記健康状態情報を検出不可能な状態であると、健康状態検出手段が検出不可能である旨及び検出の再試行か健康管理処理の中止かの選択を促す旨を表示するエラー表示を行って、当該エラー表示に応じた当該オペレータの検出の再試行か健康管理処理の中止かの選択に応じて処理を制御することを特徴とする請求項１から請求項４のいずれかに記載のコンピュータシステム。
【請求項６】
前記コンピュータは、前記健康管理処理で、前記オペレータの健康に所定の異常があると判断すると、所定の警告を報知出力することを特徴とする請求項１から請求項５にいずれかに記載のコンピュータシステム。
【発明の詳細な説明】
【技術分野】
【０００１】
本発明は、コンピュータシステムに関し、詳細には、コンピュータの使用による健康状態を常時監視するコンピュータシステムに関する。
【背景技術】
【０００２】
近年、コンピュータ、特に、パーソナルコンピュータの普及に伴って、各種作業をコンピュータを使用して行うことが多くなってきており、特に、ビジネスの分野では、ＯＡ（Office Automation ）化が進み、コンピュータを使用した業務が増加している。
【０００３】
ところが、コンピュータのオペレーション業務は、オペレータにストレスを与え、特に、操作に不慣れなオペレータにとっては、ストレスが増大して蓄積される。
【０００４】
そして、従来、入力装置やセンサ等を介してオペレータや環境のデータを収集し、オペレータの熟練度に加えて、オペレータの活動状態、日常の定型作業パターン、癖や好み、プロフィール及び意図等も同時に推定して、オペレータに関する多種多様な特性を推定し、オペレータの状況に応じたきめ細かい応答や処理を実現するオペレータ状況推定装置が提案されている（特許文献１参照）。すなわち、この従来技術は、オペレータの状況に応じた応答や処理を行って、コンピュータの使用におけるオペレータのストレスを軽減しようとしている。
【０００５】
また、従来、マウスを初めとするポインティングデバイスにストレス検知機能を持たせて、健康管理データを検出し、検出した健康管理データから健康を管理するのに役立つ情報を提供することで、コンピュータの使用中に自己の健康管理を、可能とするコンピュータシステムが提案されている（特許文献２参照）。
【０００６】
さらに、従来、利用者がログインする時に自動的に血圧、心拍数、体温を測定する入力装置を有する入力処理部とログイン時のログインデータと測定結果データを保存しておくデータ保存処理部と測定結果を分析するデータ分析処理部とを備え、利用者が意識することなく日常的に健康管理を行う自動健康管理機能付きシステム装置が提案されている（特許文献３参照）。
【０００７】
【特許文献１】特開平１１−２０３００６号公報
【特許文献２】特開平１０−３１２２４１号公報
【特許文献３】特開２００１−５８９６号公報
【発明の開示】
【発明が解決しようとする課題】
【０００８】
しかしながら、上記従来技術にあっては、コンピュータを操作するオペレータの健康状態を常時監視して、より一層適切な健康管理を提供する上で、改良の必要があった。
【０００９】
すなわち、特許文献１記載の従来技術にあっては、オペレータの状況に応じた応答や処理を行って、コンピュータの使用におけるオペレータのストレスを軽減することを目的としており、健康管理に必要な情報を提供して、健康管理を増進させるものではない。
【００１０】
また、特許文献２記載の従来技術にあっては、ポインティングデバイスにストレス検知機能を持たせ、ストレスをポインティングデバイスで検出しているが、コンピュータの入力作業に従事するオペレータとしては、ポインティングデバイスをほとんど使用しないものも中にはおり、そのような人々にとっては、適切にストレスを検知することができず、健康管理を増進させる上で、改良の必要があった。
【００１１】
さらに、特許文献３記載の従来技術にあっては、ログイン時に血圧、脈拍、体温を読み取っているため、日常の健康管理をする際には有効であるが、仕事中に感じるストレスについては、管理することができず、健康管理を増進させる上で、改良の必要があった。
【００１２】
そこで、請求項１記載の発明は、オペレータの手操作する入力デバイスからの当該入力操作に応じて、搭載するプログラムに基づいて各種処理を行うコンピュータの入力デバイスの手操作される当該手の触れる位置に、健康状態の指標となる各種健康状態情報を検出する健康状態検出手段を設け、コンピュータが、健康管理プログラムを搭載し、当該健康管理プログラムの処理下で、健康状態検出手段の検出する健康状態情報に基づいてオペレータの健康状態を判断して、当該判断したオペレータの健康状態をディスプレイに表示する健康管理処理を実行することにより、省スペースで、かつ、コンピュータを操作するオペレータが面倒な操作を行うことなく、自動的にコンピュータを操作することによるストレス等のオペレータの健康状態情報を検出し、オペレータの健康管理を適切に増進させるコンピュータシステムを提供することを目的としている。
【００１３】
請求項２記載の発明は、入力デバイスとして、キーボードを用い、健康状態検出手段を、当該キーボードのオペレータによる入力操作時に常時手の位置するハンドレスト部分に設けることにより、オペレータがコンピュータを操作する際に必ず触れるキーボードに健康状態検出手段を設けて確実にかつ自動的にオペレータの健康状態情報を検出し、オペレータの健康管理をより一層適切に増進させるコンピュータシステムを提供することを目的としている。
【００１４】
請求項３記載の発明は、健康状態検出手段を、少なくともオペレータの発汗量、体温及び心拍数を検出するものとすることにより、より一層確実にかつ自動的にオペレータの健康状態情報を検出し、オペレータの健康管理をより一層適切に増進させるコンピュータシステムを提供することを目的としている。
【００１５】
請求項４に記載の発明は、コンピュータが、予め設定された設定時間毎に、健康状態検出手段に健康状態情報を検出させて、当該検出された健康状態情報に基づいてオペレータの健康状態を判断して、当該判断したオペレータの健康状態をディスプレイに表示する健康管理処理を繰り返し実行することにより、オペレータがコンピュータの操作を行っている間は、設定時間毎に繰り返し健康管理処理を行って、コンピュータを操作することによるストレス等をより一層確実に検知するとともに、コンピュータの操作中に健康状態が悪化した場合に休息を取る等の素早い対処ができるようにし、オペレータの健康管理をより一層適切に増進させるコンピュータシステムを提供することを目的としている。
【００１６】
請求項５記載の発明は、コンピュータが、健康管理処理において、オペレータの手が健康状態検出手段から離れている等で当該健康状態検出手段が健康状態情報を検出不可能な状態であると、健康状態検出手段が検出不可能である旨及び検出の再試行か健康管理処理の中止かの選択を促す旨を表示するエラー表示を行って、当該エラー表示に応じた当該オペレータの検出の再試行か健康管理処理の中止かの選択に応じて処理を制御することにより、オペレータが健康状態検出手段から手を離してしまった場合等においても、オペレータの選択で、再度健康管理の診断を行ったり、コンピュータの操作を優先させたりし、利用性を向上させつつ、オペレータの健康管理をより一層適切に増進させるコンピュータシステムを提供することを目的としている。
【００１７】
請求項６記載の発明は、コンピュータが、健康管理処理で、オペレータの健康に所定の異常があると判断すると、所定の警告を報知出力することにより、コンピュータを操作しているオペレータに、休憩の目安を与え、オペレータの健康管理をより一層適切に増進させるコンピュータシステムを提供することを目的としている。
【課題を解決するための手段】
【００１８】
請求項１記載の発明のコンピュータシステムは、オペレータの手操作する入力デバイスからの当該入力操作に応じて、搭載するプログラムに基づいて各種処理を行うコンピュータの前記入力デバイスの前記手操作される当該手の触れる位置に、健康状態の指標となる各種健康状態情報を検出する健康状態検出手段が設けられ、前記コンピュータが、健康管理プログラムを搭載し、当該健康管理プログラムの処理下で、前記健康状態検出手段の検出する健康状態情報に基づいて前記オペレータの健康状態を判断して、当該判断したオペレータの健康状態をディスプレイに表示する健康管理処理を実行することにより、上記目的を達成している。
【００１９】
この場合、例えば、請求項２に記載するように、前記入力デバイスは、キーボードであり、前記健康状態検出手段は、当該キーボードの前記オペレータによる入力操作時に常時手の位置するハンドレスト部分に設けられているものであってもよい。
【００２０】
また、例えば、請求項３に記載するように、前記健康状態検出手段は、少なくともオペレータの発汗量、体温及び心拍数を検出するものであってもよい。
【００２１】
また、例えば、請求項４に記載するように、前記コンピュータは、予め設定された設定時間毎に、前記健康状態検出手段に前記健康状態情報を検出させて、当該検出された健康状態情報に基づいて前記オペレータの健康状態を判断して、当該判断したオペレータの健康状態を前記ディスプレイに表示する健康管理処理を繰り返し実行するものであってもよい。
【００２２】
さらに、例えば、請求項５に記載するように、前記コンピュータは、前記健康管理処理において、前記オペレータの手が前記健康状態検出手段から離れている等で当該健康状態検出手段が前記健康状態情報を検出不可能な状態であると、健康状態検出手段が検出不可能である旨及び検出の再試行か健康管理処理の中止かの選択を促す旨を表示するエラー表示を行って、当該エラー表示に応じた当該オペレータの検出の再試行か健康管理処理の中止かの選択に応じて処理を制御するものであってもよい。
【００２３】
また、例えば、請求項６に記載するように、前記コンピュータは、前記健康管理処理で、前記オペレータの健康に所定の異常があると判断すると、所定の警告を報知出力するものであってもよい。
【発明の効果】
【００２４】
請求項１記載の発明のコンピュータシステムによれば、オペレータの手操作する入力デバイスからの当該入力操作に応じて、搭載するプログラムに基づいて各種処理を行うコンピュータの入力デバイスの手操作される当該手の触れる位置に、健康状態の指標となる各種健康状態情報を検出する健康状態検出手段を設け、コンピュータが、健康管理プログラムを搭載し、当該健康管理プログラムの処理下で、健康状態検出手段の検出する健康状態情報に基づいてオペレータの健康状態を判断して、当該判断したオペレータの健康状態をディスプレイに表示する健康管理処理を実行するので、省スペースで、かつ、コンピュータを操作するオペレータが面倒な操作を行うことなく、自動的にコンピュータを操作することによるストレス等のオペレータの健康状態情報を検出することができ、オペレータの健康管理を適切に増進させることができる。
【００２５】
請求項２記載の発明のコンピュータシステムによれば、入力デバイスとして、キーボードを用い、健康状態検出手段を、当該キーボードのオペレータによる入力操作時に常時手の位置するハンドレスト部分に設けているので、オペレータがコンピュータを操作する際に必ず触れるキーボードに健康状態検出手段を設けて確実にかつ自動的にオペレータの健康状態情報を検出することができ、オペレータの健康管理をより一層適切に増進させることができる。
【００２６】
請求項３記載の発明のコンピュータシステムによれば、健康状態検出手段を、少なくともオペレータの発汗量、体温及び心拍数を検出するものしているので、より一層確実にかつ自動的にオペレータの健康状態情報を検出することができ、オペレータの健康管理をより一層適切に増進させることができる。
【００２７】
請求項４記載の発明のコンピュータシステムによれば、コンピュータが、予め設定された設定時間毎に、健康状態検出手段に健康状態情報を検出させて、当該検出された健康状態情報に基づいてオペレータの健康状態を判断して、当該判断したオペレータの健康状態をディスプレイに表示する健康管理処理を繰り返し実行するので、オペレータがコンピュータの操作を行っている間は、設定時間毎に繰り返し健康管理処理を行って、コンピュータを操作することによるストレス等をより一層確実に検知することができるとともに、コンピュータの操作中に健康状態が悪化した場合に休息を取る等の素早い対処ができるようにすることができ、オペレータの健康管理をより一層適切に増進させることができる。
【００２８】
請求項５記載の発明によれば、コンピュータが、健康管理処理において、オペレータの手が健康状態検出手段から離れている等で当該健康状態検出手段が健康状態情報を検出不可能な状態であると、健康状態検出手段が検出不可能である旨及び検出の再試行か健康管理処理の中止かの選択を促す旨を表示するエラー表示を行って、当該エラー表示に応じた当該オペレータの検出の再試行か健康管理処理の中止かの選択に応じて処理を制御するので、オペレータが健康状態検出手段から手を離してしまった場合等においても、オペレータの選択で、再度健康管理の診断を行ったり、コンピュータの操作を優先させたりすることができ、利用性を向上させることができるとともに、オペレータの健康管理をより一層適切に増進させることができる。
【００２９】
請求項６記載の発明のコンピュータシステムによれば、コンピュータが、健康管理処理で、オペレータの健康に所定の異常があると判断すると、所定の警告を報知出力するので、コンピュータを操作しているオペレータに、休憩の目安を与えることができ、オペレータの健康管理をより一層適切に増進させることができる。
【発明を実施するための最良の形態】
【００３０】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００３１】
図１〜図３は、本発明のコンピュータシステムの第１実施例を示す図であり、図１は、本発明のコンピュータシステムの第１実施例を適用したコンピュータシステム１のシステム構成図である。なお、本実施例は、請求項１から請求項３及び請求項６に対応するものである。
【００３２】
図１において、コンピュータシステム１は、コンピュータ本体(コンピュータ）２にディスプレイ３とキーボード（入力デバイス）４が接続されており、コンピュータ本体２には、図示しないが、キーボード４以外のマウス等の入力デバイスが接続されていてもよい。
【００３３】
キーボード４は、その筐体１１の上面部に、通常のキー群１２が配設されているとともに、当該キー群１２の手元側には、オペレータがキーボード４のホームポジションに手を置いた場合に手の付け根部分（以下、手元部分という。）が位置する部分であるハンドレスト部１３が形成されており、オペレータは、キーボード４のハンドレスト部１３上に、手の手元部分を載せてキー入力を行う。
【００３４】
キーボード４は、このハンドレスト部１３のオペレータの手元部分を載せる位置に発汗量検出センサ１４と温度検出センサ１５が配設されており、オペレータは、これらの発汗量検出センサ１４及び温度検出センサ１５上に左右の手の手元部分を載せてキー入力操作を行う。発汗量検出センサ１４は、オペレータの発汗量を検出し、温度検出センサ１５は、オペレータの体温を検出する。
【００３５】
また、キーボード４には、心拍数検出装置１６がコード１７により接続されており、心拍数検出装置１６は、キーボード４を使用して入力操作を行うオペレータの手首部分に巻いて使用されて、オペレータの心拍数を検出する。
【００３６】
すなわち、キーボード４には、オペレータの健康状態を示す健康状態情報を検出するために、発汗量、体温及び心拍数を検出する発汗量検出センサ１４、温度検出センサ１５及び心拍数検出装置１６の健康状態検出手段１７が設けられている。
【００３７】
そして、キーボード４とコンピュータ本体２とは、２本の命令入力用ケーブル５ａとデータ検出用ケーブル５ｂで接続されており、命令入力用ケーブル５ａは、キーボード４から入力された命令であるキー入力内容をコンピュータ本体２に伝達し、データ検出用ケーブル５ｂは、発汗量検出センサ１４、温度検出センサ１５及び心拍数検出装置１６の検出した発汗量、体温及び心拍数の各健康状態情報をコンピュータ本体２に転送する。
【００３８】
コンピュータ本体２は、通常のコンピュータ、例えば、パーソナルコンピュータを用いることができ、ＯＳ（Operating System）上で動作する各種アプリケーションプログラムがハードディスクにインストールされていて、当該アプリケーションプログラムを利用した各種作業処理を行うことができるとともに、当該ハードディスクに当該ＯＳ上で動作する健康管理プログラムと予め統計によって得られた統計健康データ（発汗量、体温、心拍数等の統計健康データ）がインストールされており、キーボード４の上記発汗量検出センサ１４、温度検出センサ１５及び心拍数検出装置１６の検出した発汗量、体温及び心拍数の各健康状態情報に基づいて後述する健康管理処理を実行する。
【００３９】
次に、本実施例の作用を説明する。本実施例のコンピュータシステム１は、キーボード４に設けられた健康状態検出手段１７でオペレータの健康状態情報を検出し、当該検出結果に基づいてオペレータの健康状態を判断して、判断結果をディスプレイ３に表示する。
【００４０】
すなわち、コンピュータシステム１は、所定のタイミングで、コンピュータシステム１を使用するオペレータの健康状態を管理する健康管理処理を、図２に示すように行う。コンピュータシステム１は、この健康管理処理を行う際に、図２に示すように、まず、健康管理処理の初期設定が済んでいるかチェックし（ステップＳ１０１）、初期設定が完了していないときには、オペレータの名前（ユーザ名）、パスワード、オペレータ（ユーザ）の年齢、性別、平常時の心拍数、体温、発汗量等のパーソナルデータを入力する（ステップＳ１０２）。このオペレータのパーソナルコンピュータデータの入力は、複数のオペレータについて行うことができる。
【００４１】
なお、このパーソナルデータの入力において、平常時の心拍数、体温及び発汗量については、キーボード４に設けられている発汗量検出センサ１４、温度検出センサ１５及び心拍数検出装置１６を用いて測定したデータを利用して入力してもよい。
【００４２】
ステップＳ１０１で、初期設定が済んでいると、コンピュータシステム１を利用できる状態となり、オペレータがコンピュータシステム１を利用する場合、まず、ユーザ名とパスワードを入力する（ステップＳ１０３）。
【００４３】
なお、このステップＳ１０３で、入力されたユーザ名とパスワードがステップＳ１０２で登録されたものと異なるときには、ステップＳ１０１で、初期設定が済んでいないこととなり、ステップＳ１０２で、初期設定を行うことになる。
【００４４】
登録されているユーザ名とパスワードが入力されると、コンピュータシステム１は、各健康状態検出手段１７である発汗量検出センサ１４、温度検出センサ１５及び心拍数検出装置１６で、発汗量、体温及び心拍数の健康状態情報を検出して、検出した健康状態情報をデータ検出用ケーブル５ｂを通してコンピュータ本体２に出力させ（ステップＳ１０４）、データの分析を行って、体調（健康状態）の良否の判断を行う（ステップＳ１０５）。コンピュータ本体２は、このデータ分析では、正常時の発汗量、体温及び心拍数の正常時健康状態情報と上記予め統計によって得て格納されている統計健康データを基準健康データとして、健康状態検出手段１７である発汗量検出センサ１４、温度検出センサ１５及び心拍数検出装置１６が検出して転送されてきた発汗量、体温及び心拍数の健康状態情報を、上記基準健康データと比較することで、健康状態（体調）の良否を判断、例えば、検出された発汗量、体温及び心拍数の健康状態情報と基準健康データの発汗量、体温及び心拍数との差を取り、その差を分析することで、健康状態（体調）の良否を判断する。
【００４５】
コンピュータ本体２は、健康状態の良否を判断すると、当該判断結果情報をディスプレイ３の一部、例えば、ディスプレイ３の画面上の一角に表示するという健康状態情報測定解析処理を実行する（ステップＳ１０６）。
【００４６】
また、コンピュータ本体２は、ステップＳ１０５での健康状態の良否の判断結果において、健康状態が所定の不良状態、例えば、検出された発汗量、体温及び心拍数の健康状態情報と基準健康データの発汗量、体温及び心拍数との差が、予め設定された警告値を越えると、警告を発生する（ステップＳ１０７）。この警告としては、例えば、警告音の発生、警告を報知する文字等のディスプレイ８への表示や点滅等のいずれかまたは全てを行う。
【００４７】
コンピュータシステム１は、この健康状態情報測定解析処理を、図３に示すように実行する。すなわち、まず、健康状態情報の検出である心拍数検出装置１６による心拍数値の測定（ステップＳ２０１）、発汗量検出センサ１４による発汗量の測定（ステップＳ２０２）及び温度検出センサ１５による体温の測定を行う（ステップＳ２０３）。
【００４８】
コンピュータシステム１は、コンピュータ本体２が、測定データの処理、例えば、検出された発汗量、体温及び心拍数の健康状態情報と基準健康データの発汗量、体温及び心拍数との差を取り、その差を分析することで、健康状態（体調）の良否を判断する処理を行い（ステップＳ２０４）、判断結果情報、例えば、測定データと現在のオペレータの健康状態をディスプレイ３の一部、例えば、ディスプレイ３の画面上の一角に表示する（ステップＳ２０５）。
【００４９】
したがって、オペレータは、ディスプレイ３に表示される健康状態の良否の判断結果情報を見て、自己の健康管理の参考にすることができる。
【００５０】
このように、本実施例のコンピュータシステム１によれば、オペレータの手操作する入力デバイスからの当該入力操作に応じて、搭載するプログラムに基づいて各種処理を行うコンピュータのキーボード４の手操作される当該手の触れる位置に、健康状態の指標となる各種健康状態情報を検出する健康状態検出手段１７を設け、コンピュータ本体２が、健康管理プログラムを搭載し、当該健康管理プログラムの処理下で、健康状態検出手段１７の検出する健康状態情報に基づいてオペレータの健康状態を判断して、当該判断したオペレータの健康状態をディスプレイ３に表示する健康管理処理を実行している。
【００５１】
したがって、省スペースで、かつ、コンピュータを操作するオペレータが面倒な操作を行うことなく、自動的にコンピュータを操作することによるストレス等のオペレータの健康状態情報を検出することができ、オペレータの健康管理を適切に増進させることができる。
【００５２】
また、本実施例のコンピュータシステム１は、入力デバイスとして、キーボード４を用い、健康状態検出手段１７としての発汗量検出センサ１４、温度検出センサ１５を、当該キーボード４のオペレータによる入力操作時に常時手の位置するハンドレスト部分に設け、健康状態検出手段１７としての心拍数検出装置１６をキーボード４のホームポジション位置にある手の手首に巻き付けるようにしている。
【００５３】
したがって、オペレータがコンピュータ２を操作する際に必ず触れるキーボード４に健康状態検出手段１７を設けて確実にかつ自動的にオペレータの健康状態情報を検出することができ、オペレータの健康管理をより一層適切に増進させることができる。
【００５４】
さらに、本実施例のコンピュータシステム１によれば、健康状態検出手段１７として、発汗量検出センサ１４、温度検出センサ１５及び心拍数検出装置１６を用い、少なくともオペレータの発汗量、体温及び心拍数を検出している。
【００５５】
したがって、より一層確実にかつ自動的にオペレータの健康状態情報を検出することができ、オペレータの健康管理をより一層適切に増進させることができる。
【００５６】
また、本実施例のコンピュータシステム１は、コンピュータ本体２が、健康管理処理で、オペレータの健康に所定の異常があると判断すると、所定の警告を報知出力している。
【００５７】
したがって、コンピュータを操作しているオペレータに、休憩の目安を与えることができ、オペレータの健康管理をより一層適切に増進させることができる。
【実施例２】
【００５８】
図４は、本発明のコンピュータシステムの第２実施例を適用したコンピュータシステムによる健康状態情報測定解析処理を示すフローチャートである。
【００５９】
なお、本実施例は、上記第１の実施例のコンピュータシステムと同様のコンピュータシステムに適用したものであり、本実施例の説明においては、必要に応じて、上記第１実施例の説明で用いた符号をそのまま用いて説明する。また、本実施例は、請求項４に対応するものである。
【００６０】
本実施例のコンピュータシステム１は、予め設定された繰り返し時間毎に、健康状態情報の測定と健康状態の解析処理を実施する。
【００６１】
そこで、本実施例のコンピュータシステム１では、図２の健康管理処理のステップＳ１０２での初期設定において、括弧内に示すように、オペレータが、時間設定を行う。この時間設定で、健康状態情報の測定と健康状態の解析処理を繰り返し実施する繰り返し時間が設定される。
【００６２】
そして、コンピュータシステム１は、図４に示すように、その健康状態情報測定解析処理で、まず、健康状態情報の検出である心拍数検出装置１６による心拍数値の測定（ステップＳ３０１）、発汗量検出センサ１４による発汗量の測定（ステップＳ３０２）及び温度検出センサ１５による体温の測定を行う（ステップＳ３０３）。
【００６３】
コンピュータシステム１は、コンピュータ本体２が、測定データの処理、例えば、検出された発汗量、体温及び心拍数の健康状態情報と基準健康データの発汗量、体温及び心拍数との差を取り、その差を分析することで、健康状態（体調）の良否を判断する処理を行い（ステップＳ３０４）、判断結果情報、例えば、測定データと現在のオペレータの健康状態をディスプレイ３の一部、例えば、ディスプレイ３の画面上の一角に表示する（ステップＳ３０５）。
【００６４】
そして、コンピュータシステム１は、上記設定された設定時間（繰り返し時間）が経過すると、再度、ステップＳ３０１から上記同様の処理を行い、健康状態情報の測定と解析及び表示を行うという処理を、設定時間毎に繰り返し実施する（ステップＳ３０１〜Ｓ３０５）。
【００６５】
このように、本実施例のコンピュータシステム１は、コンピュータ本体２が、予め設定された設定時間毎に、発汗量検出センサ１４、温度検出センサ１５及び心拍数検出装置１６に健康状態情報を検出させて、当該検出された健康状態情報に基づいてオペレータの健康状態を判断して、当該判断したオペレータの健康状態をディスプレイ３に表示する健康管理処理を繰り返し実行している。
【００６６】
したがって、オペレータがコンピュータ本体２の操作を行っている間は、設定時間毎に繰り返し健康管理処理を行って、コンピュータ本体２を操作することによるストレス等をより一層確実に検知することができるとともに、コンピュータ本体２の操作中に健康状態が悪化した場合に休息を取る等の素早い対処ができるようにすることができ、オペレータの健康管理をより一層適切に増進させることができる。
【実施例３】
【００６７】
図５は、本発明のコンピュータシステムの第３実施例を適用したコンピュータシステムによる健康状態情報測定解析処理を示すフローチャートである。
【００６８】
なお、本実施例は、上記第１の実施例のコンピュータシステムと同様のコンピュータシステムに適用したものであり、本実施例の説明においては、必要に応じて、上記第１実施例の説明で用いた符号をそのまま用いて説明する。また、本実施例は、請求項５に対応するものである。
【００６９】
本実施例のコンピュータシステム１は、各健康状態情報の測定前に、各健康状態情報の測定が可能かどうかチェックして、測定不可能状態であると、再試行か終了かをオペレータが選択することができる。また、本実施例のコンピュータシステム１は、上記第２実施例と同様に、予め設定された繰り返し時間毎に、健康状態情報の測定と健康状態の解析処理を実施する。
【００７０】
そこで、本実施例のコンピュータシステム１では、図２の健康管理処理のステップＳ１０２での初期設定において、括弧内に示すように、オペレータが、時間設定を行う。この時間設定で、健康状態情報の測定と健康状態の解析処理を繰り返し実施する繰り返し時間が設定される。
【００７１】
そして、コンピュータシステム１は、図５に示すように、その健康状態情報測定解析処理で、まず、心拍数検出装置１６が接続されているか、すなわち、心拍数検出装置１６による心拍数の検出が可能であるかチェックし（ステップＳ４０１）、心拍数検出装置１６が接続されていないときには、ディスプレイ３に心拍数の検出においてエラーが発生した旨及びその後の処理の選択を促す旨のエラー表示、例えば、「心拍数検出装置１６が接続されていません。デバイスの準備ができていません」等の表示を行って（ステップＳ４０２）、処理の再試行か終了かをチェックする（ステップＳ４０３）。すなわち、オペレータは、ディスプレイ３へのエラー表示によって、心拍数検出装置１６による心拍数の検出でエラーが発生したことを知り、デバイスの接続、例えば、データ検出用ケーブル５ｂの接続、心拍数検出装置１６の手首への装着、心拍数検出装置１６のキーボード４への接続等を行って再度測定の試行を選択するか、健康状態情報測定解析処理の終了を選択する。
【００７２】
コンピュータ本体２は、ステップＳ４０３で、終了が選択されると、その他の健康状態情報の測定等を行うことなく、健康状態情報測定解析処理を終了し、再試行が選択されると、ステップＳ４０１に戻って、心拍数検出装置１６が接続されているかチェックして（ステップＳ４０１）、心拍数検出装置１６が接続されていると、すなわち、心拍数検出装置１６による心拍数の検出が可能であると、心拍数検出装置１６による心拍数値の測定を行う（ステップＳ４０４）。
【００７３】
コンピュータ本体２は、心拍数の測定を行うと、発汗量検出センサ１４が接続されているか、すなわち、発汗量検出センサ１４上に手が載せられていて発汗量検出センサ１４による発汗量の検出が可能であるかチェックし（ステップＳ４０５）、発汗量検出センサ１４上に手が載せられておらず、発汗量検出センサ１４が接続されていないときには、ディスプレイ３に発汗量の検出においてエラーが発生した旨及びその後の処理の選択を促す旨の表示、例えば、「発汗量検出センサ１４が接続されていません。デバイスの準備ができていません」等の表示を行って（ステップＳ４０６）、処理の再試行か終了かをチェックする（ステップＳ４０７）。
【００７４】
コンピュータ本体２は、ステップＳ４０７で、終了が選択されると、その他の健康状態情報の測定等を床なうことなく、健康状態情報測定解析処理を終了し、再試行が選択されると、ステップＳ４０５に戻って、発汗量検出センサ１４が接続されているかチェックして（ステップＳ４０５）、発汗量検出センサ１４が接続されていると、すなわち、発汗量検出センサ１４による発汗量の検出が可能であると、発汗量検出センサ１４による発汗量の測定を行う（ステップＳ４０８）。
【００７５】
コンピュータ本体２は、発汗量の測定を行うと、温度検出センサ１５が接続されているか、すなわち、温度検出センサ１５上に手が載せられていて温度検出センサ１５による体温の検出が可能であるかチェックし（ステップＳ４０９）、温度検出センサ１５上に手が載せられておらず、温度検出センサ１５が接続されていないときには、ディスプレイ３に体温の検出においてエラーが発生した旨及びその後の処理の選択を促す旨の表示、例えば、「温度検出センサ１５が接続されていません。デバイスの準備ができていません」等の表示を行って（ステップＳ４１０）、処理の再試行か終了かをチェックする（ステップＳ４１１）。
【００７６】
コンピュータ本体２は、ステップＳ４１１で、終了が選択されると、健康状態情報測定解析処理を終了し、再試行が選択されると、ステップＳ４０９に戻って、温度検出センサ１５が接続されているかチェックして（ステップＳ４０９）、温度検出センサ１５が接続されていると、すなわち、温度検出センサ１５による体温の検出が可能であると、温度検出センサ１５による体温の測定を行う（ステップＳ４１２）。
【００７７】
コンピュータシステム１は、コンピュータ本体２が、測定データの処理、例えば、検出された発汗量、体温及び心拍数の健康状態情報と基準健康データの発汗量、体温及び心拍数との差を取り、その差を分析することで、健康状態（体調）の良否を判断する処理を行い（ステップＳ４１３）、判断結果情報、例えば、測定データと現在のオペレータの健康状態をディスプレイ３の一部、例えば、ディスプレイ３の画面上の一角に表示する（ステップＳ４１４）。
【００７８】
そして、コンピュータシステム１は、上記設定された設定時間（繰り返し時間）が経過すると、再度、ステップＳ４０１から上記同様の処理を行い、健康状態情報の測定と解析及び表示を行うという処理を、設定時間毎に繰り返し実施する（ステップＳ４０１〜Ｓ４１４）。
【００７９】
このように、本実施例のコンピュータシステム１は、コンピュータ本体２が、健康管理処理において、オペレータの手が発汗量検出センサ１４、温度検出センサ１５及び心拍数検出装置１６から離れている等で当該発汗量検出センサ１４、温度検出センサ１５及び心拍数検出装置１６が健康状態情報を検出不可能な状態であると、発汗量検出センサ１４、温度検出センサ１５及び心拍数検出装置１６が検出不可能である旨及び検出の再試行か健康管理処理の中止かの選択を促す旨を表示するエラー表示を行って、当該エラー表示に応じた当該オペレータの検出の再試行か健康管理処理の中止かの選択に応じて処理を制御している。
【００８０】
したがって、オペレータが健康状態検出手段から手を離してしまった場合等においても、オペレータの選択で、再度健康管理の診断を行ったり、コンピュータ本体２の操作を優先させたりすることができ、利用性を向上させることができるとともに、オペレータの健康管理をより一層適切に増進させることができる。
【００８１】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００８２】
パーソナルコンピュータ、業務用コンピュータ等のコンピュータを操作するオペレータの健康管理を、コンピュータの操作中に健康状態情報を検出して、健康状態を判断するコンピュータシステムに適用することができる。
【図面の簡単な説明】
【００８３】
【図１】本発明のコンピュータシステムの第１実施例を適用したコンピュータシステムのシステム構成図。
【図２】図１のコンピュータシステムによる健康管理処理を示すフローチャート。
【図３】図１のコンピュータシステムによる健康状態情報測定解析処理を示すフローチャート。
【図４】本発明のコンピュータシステムの第２実施例を適用したコンピュータシステムによる健康状態情報測定解析処理を示すフローチャート。
【図５】本発明のコンピュータシステムの第３実施例を適用したコンピュータシステムによる健康状態情報測定解析処理を示すフローチャート。
【符号の説明】
【００８４】
１  コンピュータシステム
２  コンピュータ本体
３  ディスプレイ
４  キーボード
５ａ  命令入力用ケーブル
５ｂ  データ検出用ケーブル
１１  筐体
１２  キー群
１３  ハンドレスト部
１４  発汗量検出センサ
１５  温度検出センサ
１６  心拍数検出装置
１７  健康状態検出手段
【図１】
2005122339.tif 000003
【図２】
2005122339.tif 000004
【図３】
2005122339.tif 000005
【図４】
2005122339.tif 000006
【図５】
2005122339.tif 000007